(57)【要約】【課題】健康増進具上で人が飛び跳ね動作を円滑にできるようにするなどして、この健康増進具による健康の増進が良好に達成されるようにする。【解決手段】健康増進具１は、弾性体２と、この弾性体２を全体的に覆う可撓性のカバー体３とを備える。カバー体３の少なくとも一部分を網体９により形成する。弾性体２を板形状とし、カバー体３が、弾性体２の面方向での外縁部５を覆う枠形状の膜体６を備え、網体９が弾性体２の平坦部７を覆い、その外縁部が膜体６に連結される。網体９に対応する弾性体２の外面の部分に表示１６を付す。【選択図】図１
2009082163.tif 000002
【特許請求の範囲】
【請求項１】
弾性体と、この弾性体を全体的に覆う可撓性のカバー体とを備えた健康増進具において、
上記カバー体の少なくとも一部分を網体により形成したことを特徴とする健康増進具。
【請求項２】
上記弾性体を板形状とし、上記カバー体が、上記弾性体の面方向での外縁部を覆う枠形状の膜体を備え、上記網体が上記弾性体の平坦部を覆い、その外縁部が上記膜体に連結されたことを特徴とする請求項１に記載の健康増進具。
【請求項３】
上記網体に対応する上記弾性体の外面の部分に表示を付したことを特徴とする請求項１、もしくは２に記載の健康増進具。
【請求項４】
上記網体の静摩擦係数を、上記膜体のそれよりも大きくしたことを特徴とする請求項２、もしくは３に記載の健康増進具。
【発明の詳細な説明】
【技術分野】
【０００１】
本発明は、健康増進具に関し、より詳しくは、この健康増進具上で人が飛び跳ね動作などして健康を増進させるようにする健康増進具に関するものである。
【背景技術】
【０００２】
上記健康増進具には、従来、下記特許文献１に示されるものがある。この公報のものによれば、健康増進具は、板形状の弾性体と、この弾性体を全体的に覆う可撓性のカバー体とを備えている。
【０００３】
そして、上記健康増進具上に老人やリハビリ中などの人が立つと、この人の自重に対する上記健康増進具からの反力により、足の裏に刺激が与えられて足のマッサージがなされる、という作用が生じることとされている。
【特許文献１】特開平１１−１６９４２５号公報
【発明の開示】
【発明が解決しようとする課題】
【０００４】
ところで、上記健康増進具上で、人が飛び跳ね動作をする場合、その落下時に人から上記弾性体に与えられる衝撃力は大きく、かつ、速度は速い。このため、この衝撃力により、上記弾性体は速い速度で弾性的に収縮変形させられようとする。また、上記衝撃力により、上記カバー体も速い速度で収縮変形させられようとし、この際、このカバー体の内部の空気圧が上昇して、この空気は上記カバー体を通り外部に向けて排気させられようとする。
【０００５】
しかし、上記カバー体は布製であって、このカバー体に与えられる衝撃力の速度は速いため、この速度に対し、このカバー体の内部から外部に向かう排気は追従できないおそれがある。そして、この場合には、上記衝撃力により、上記カバー体はある程度収縮変形するが、この変形の進行に伴いその内部の空気圧が上昇して、このカバー体の収縮変形が十分に進行することが防止される。このため、このカバー体により、上記弾性体の所定の収縮変形が阻害されがちとなる。
【０００６】
一方、上記衝撃力を解除したとき、この際、収縮変形している上記弾性体はその弾性力により、上記カバー体を伴って元の形状に拡大変形しようとする。しかし、上記と同様の理由により、上記弾性体の所定の拡大変形の速度に上記カバー体の外部から内部への吸気が追従できないおそれがある。このため、このカバー体により、上記弾性体の所定の拡大変形が阻害されがちとなる。
【０００７】
よって、上記衝撃力に対する上記弾性体の弾性が十分には機能しなくなって、上記健康増進具上での人の円滑な飛び跳ね動作が阻害され、つまり、この健康増進具による健康の増進が阻害されるおそれが生じて好ましくない。
【課題を解決するための手段】
【０００８】
本発明は、上記のような事情に注目してなされたもので、本発明の目的は、健康増進具上で人が飛び跳ね動作を円滑にできるようにするなどして、この健康増進具による健康の増進が良好に達成されるようにすることである。
【０００９】
請求項１の発明は、弾性体２と、この弾性体２を全体的に覆う可撓性のカバー体３とを備えた健康増進具において、
上記カバー体３の少なくとも一部分を網体９により形成したことを特徴とする健康増進具である。
【００１０】
請求項２の発明は、上記弾性体２を板形状とし、上記カバー体３が、上記弾性体２の面方向での外縁部５を覆う枠形状の膜体６を備え、上記網体９が上記弾性体２の平坦部７を覆い、その外縁部が上記膜体６に連結されたことを特徴とする請求項１に記載の健康増進具である。
【００１１】
請求項３の発明は、上記網体９に対応する上記弾性体２の外面の部分に表示１６を付したことを特徴とする請求項１、もしくは２に記載の健康増進具である。
【００１２】
請求項４の発明は、上記網体９の静摩擦係数を、上記膜体６のそれよりも大きくしたことを特徴とする請求項２、もしくは３に記載の健康増進具である。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、弾性体と、この弾性体を全体的に覆う可撓性のカバー体とを備えた健康増進具において、
上記カバー体の少なくとも一部分を網体により形成している。
【００１６】
このため、上記健康増進具上で、人が飛び跳ね動作をしたような場合であって、人から健康増進具に与えられる衝撃力が大きく、かつ、速くて、上記弾性体とカバー体とが共に速い速度で収縮、拡大変形させられようとするときには、上記カバー体の内部の空気は上記膜体を通って外部に円滑に排気され、もしくは、カバー体の外部の空気は上記膜体を通って内部に円滑に吸気される。よって、上記衝撃力の速度に上記排気が十分に追従すると共に、上記弾性体の所定の拡大変形に上記吸気が十分に追従して、上記カバー体が弾性体の変形を阻害する、ということは防止される。
【００１７】
この結果、上記健康増進具上で人が飛び跳ね動作をしたような場合、人から健康増進具に与えられる衝撃力に対し、上記弾性体の弾性が十分に機能して、上記健康増進具上で人は円滑な飛び跳ね動作をすることができ、つまり、この健康増進具によれば、人の健康の増進が良好に達成される。
【００１８】
請求項２の発明は、上記弾性体を板形状とし、上記カバー体が、上記弾性体の面方向での外縁部を覆う枠形状の膜体を備え、上記網体が上記弾性体の平坦部を覆い、その外縁部が上記膜体に連結されている。
【００１９】
このため、上記弾性体を板形状にしたことに伴い健康増進具も板形状となることから、この健康増進具上に人が立って何らかの動作をする場合、この健康増進具上から人が不意に滑り落ちる、ということは防止される。よって、上記健康増進具上で、人はより安定した動作をすることができる。
【００２０】
しかも、上記したように、弾性体の平坦部を覆うカバー体の部分は網体であって、その外面は粗面となるため、この網体は単なる膜材に比べて静摩擦係数が大きい。
【００２１】
このため、上記健康増進具上から人が不意に滑り落ちるということは、より確実に防止される。よって、上記健康増進具上で、人は更に安定した動作をすることができる。
【００２２】
また、複数枚の上記健康増進具をその厚さ方向で重ね合わせた場合、これら健康増進具同士を連結させるための連結具がないとしても、静摩擦係数が大きい上記網体による大きい摩擦力によって、上記のように互いに重ね合わされた健康増進具同士が互いにずれる、ということは防止され、良好な重ね合わせ状態が維持される。
【００２３】
また、上記健康増進具を床面上の所望位置に置く場合には、上記健康増進具の下面に網体を位置させてやれば、この網体の大きい摩擦力によって、上記床面上の所望位置から上記健康増進具が不意にずれる、ということも防止される。
【００２４】
請求項３の発明は、上記網体に対応する上記弾性体の外面の部分に表示を付している。
【００２５】
このため、上記健康増進具上の人は上記網体を通し上記表示を容易に視認できる。よって、この表示を例えば模様のようなものにしておけば、健康増進具の外観上の見栄えを向上させることができる。
【００２６】
また、上記表示を、健康増進具上の人の動作にとって、適正な何らかの指示を与えるものとしておけば、人が上記表示を視ることにより、健康増進具上で適正な所定動作をすることができ、これは人の健康を、より効果的に増進させる。
【００２７】
更に、上記構成によれば、上記表示は網体で覆われることとなるため、上記表示が人や床面など外部のものと直接接触する、ということは上記膜体により防止される。よって、上記表示が早期に摩耗したり、剥離したりするということは防止され、この表示の寿命の点でも有益である。
【００２８】
請求項４の発明は、上記網体の静摩擦係数を、上記膜体のそれよりも大きくしている。
【００２９】
このため、上記したように健康増進具上に人が立って何らかの動作をする場合に、上記網体の静摩擦係数をより大きくした分、上記健康増進具上から人が不意に落ちるということは、更に、確実に防止されるなど、特に、上記請求項２の各効果がそれぞれ助長される。
【発明を実施するための最良の形態】
【００３０】
本発明の健康増進具に関し、健康増進具上で人が飛び跳ね動作を円滑にできるようにするなどして、この健康増進具による健康の増進が良好に達成されるようにする、という目的を実現するため、本発明を実施するための最良の形態は、次の如くである。
【００３１】
即ち、健康増進具は、弾性体と、この弾性体を全体的に覆う可撓性のカバー体とを備える。上記カバー体の少なくとも一部分を網体により形成している。
【実施例】
【００３２】
本発明をより詳細に説明するために、その実施例を添付の図に従って説明する。
【００３３】
図において、符号１は人の健康を増進させるようにするための健康増進具である。
【００３４】
上記健康増進具１は、弾性体２と、この弾性体２をその外方から全体的に覆う可撓性で袋形状のカバー体３とを備えている。上記健康増進具１は、その平面視で、矩形（正方形）の板形状とされ、縦、横、厚さは５０〜７０ｃｍ、５０〜７０ｃｍ、５〜１５ｃｍとされるが、これに限定されるものではない。
【００３５】
上記弾性体２は、健康増進具１の平面視で矩形（正方形）の板形状をなしている。また、この弾性体２は、単数もしくは複数のポリエステル樹脂製細線材４を三次元的にジグザグ状に屈曲させて互いに絡み合わせたものである。また、この弾性体２に所定の通気性を確保する上で、空隙率は８０％以上とされている。また、上記弾性体２に対するその厚さ方向における外力を２０００Ｎ／ｍ２とした場合、弾性変形後の厚さ／元の厚さ＝６０％以上とされている。また、上記弾性体２への外力の除去後は、速やかに元の厚さに戻るものとされている。なお、上記弾性体２は、上記した細線材４に関連するものに限定されることはなく、ウレタンやゴムを用いた他の弾性体であってもよい。
【００３６】
上記カバー体３は、上記弾性体２の面方向（水平方向）での外縁部５を覆う平面視で枠形状の布製膜体６と、上記弾性体２の平坦部７の表裏各外面を覆い、その各外縁部が上記膜体６に縫合８により連結される網体９とを備え、上記膜体６の長手方向の各部断面はコの字形状をなしている。上記膜体６は、上記カバー体３の全体的な強度を向上させ、このカバー体３を保形すると共に、このカバー体３の寿命を向上させる。
【００３７】
上記カバー体３の膜体６は、上記弾性体２の厚さ方向の中央部を通る仮想平面１０の位置で上下に分割され、その両分割端縁は、ファスナー１１によって着脱可能に連結されている。このファスナー１１によって、上記カバー体３の上、下部を互いに離反させれば、このカバー体３から弾性体２が離脱可能とされる。
【００３８】
上記網体９は、高強力ポリエステル樹脂製繊維により形成された網体原材１３の表面に軟質の塩化ビニル樹脂製の滑り止め材１４を強固にコーティングしたものである。上記網体９の縦、横の密度（本／ｃｍ）は３〜７とされている。これにより、この網体９に良好な通気性と透視性とが確保される一方、健康増進具１上の人の足の指が上記網体９に容易には引っ掛からないような目を持つ構造とされている。また、質量（ｇｒ／ｍ２）は４５０〜５５０とされている。また、上記滑り止め材１４の静摩擦係数０．７以上とされるが、１．０以上であることがより好ましい。ここで、この静摩擦係数の測定は、ＪＩＳＫ７１２５を準用して判定したものである。
【００３９】
上記網体９に対応する上記弾性体２の平坦部７の外面の部分には、表示１６が塗料の噴霧により塗布されている。具体的には、平面視で、表示１６として１〜４の数字であるマーク（標識）が時計回りに並ぶよう付されている。また、これら数字の間には、表示１６として長方形状の模様が付されている。なお、上記表示１６は、魚や花の模様などであってもよい。
【００４０】
上記健康増進具１のカバー体３の外側面には、この健康増進具１と、この健康増進具１に面方向に並設される他の健康増進具１とを互いに着脱可能に連結される連結具１８が取り付けられている。この連結具１８は面テープで構成されている。なお、上記健康増進具１と、この健康増進具１に厚さ方向（上下方向）で重ね合わされる他の健康増進具１とを互いに着脱可能に連結させる連結具１８を設けてもよい。
【００４１】
上記健康増進具１の使用例につき説明する。第１例として、この健康増進具１上に人が両脚で立って、この健康増進具１上面を左右の足で交互に踏み付け、上記表示１６の数字の１から４に順次向かうよう少しずつ前進する。第２例として、上記健康増進具１上に人が片脚で立って、目を閉じ、もしくは開いた状態でこの状態をより長く維持するよう身体のバランスをとる。第３例として、上記健康増進具１上で人が単に飛び跳ね動作をし、もしくは、この飛び跳ね動作により、上記表示１６の数字の１から４に順次向かうよう前進する。
【００４２】
上記の場合、健康増進具１上での人の動作自体がこの人の健康を増進させる。また、健康増進具１上の人の自重に対する上記健康増進具１の弾性体２からの反力により足の裏に刺激が与えられて、足のマッサージがなされる、という作用が生じ、これも人の健康を増進させる。
【００４３】
上記構成によれば、カバー体３の少なくとも一部分を網体９により形成している。
【００４４】
このため、上記健康増進具１上で、人が飛び跳ね動作をしたような場合であって、人から健康増進具１に与えられる衝撃力Ｆが大きく、かつ、速くて、上記弾性体２とカバー体３とが共に速い速度で収縮、拡大変形させられようとするときには、上記カバー体３の内部の空気は上記膜体６を通って外部に円滑に排気され、もしくは、カバー体３の外部の空気は上記膜体６を通って内部に円滑に吸気される。よって、上記衝撃力Ｆの速度に上記排気が十分に追従すると共に、上記弾性体２の所定の拡大変形に上記吸気が十分に追従して、上記カバー体３が弾性体２の変形を阻害する、ということは防止される。
【００４５】
この結果、上記健康増進具１上で人が飛び跳ね動作をしたような場合、人から健康増進具１に与えられる衝撃力Ｆに対し、上記弾性体２の弾性が十分に機能して、上記健康増進具１上で人が円滑な飛び跳ね動作をすることができ、つまり、この健康増進具１によれば、人の健康の増進が良好に達成される。
【００４６】
また、前記したように、弾性体２を板形状とし、上記カバー体３が、上記弾性体２の面方向での外縁部５を覆う枠形状の膜体６を備え、上記網体９が上記弾性体２の平坦部７を覆い、その外縁部が上記膜体６に連結されている。
【００４７】
このため、上記弾性体２を板形状にしたことに伴い健康増進具１も板形状となることから、この健康増進具１上に人が立って何らかの動作をする場合、この健康増進具１上から人が不意に滑り落ちる、ということは防止される。よって、上記健康増進具１上で、人はより安定した動作をすることができる。
【００４８】
しかも、上記したように、弾性体２の平坦部７を覆うカバー体３の部分は網体９であって、その外面は粗面となるため、この網体９は単なる膜材に比べて静摩擦係数が大きい。
【００４９】
このため、上記健康増進具１上から人が不意に滑り落ちるということは、より確実に防止される。よって、上記健康増進具１上で、人は更に安定した動作をすることができる。
【００５０】
また、複数枚の上記健康増進具１をその厚さ方向で重ね合わせた場合、これら健康増進具１，１同士を連結させるための連結具１８がないとしても、静摩擦係数が大きい上記網体９による大きい摩擦力によって、上記のように互いに重ね合わされた健康増進具１，１同士が互いにずれる、ということは防止され、良好な重ね合わせ状態が維持される。
【００５１】
また、上記健康増進具１を床面上の所望位置に置く場合には、上記健康増進具１の下面に網体９を位置させてやれば、この網体９の大きい摩擦力によって、上記床面上の所望位置から上記健康増進具１が不意にずれる、ということも防止される。
【００５２】
また、前記したように、網体９に対応する上記弾性体２の外面の部分に表示１６を付している。
【００５３】
このため、上記健康増進具１上の人は上記網体９を通し上記表示１６を容易に視認できる。よって、この表示１６を例えば模様のようなものにしておけば、健康増進具１の外観上の見栄えを向上させることができる。
【００５４】
また、上記表示１６を、健康増進具１上の人の動作にとって、適正な何らかの指示を与えるものとしておけば、人が上記表示１６を視ることにより、健康増進具１上で適正な所定動作をすることができ、これは人の健康を、より効果的に増進させる。
【００５５】
更に、上記構成によれば、上記表示１６は網体９で覆われることとなるため、上記表示１６が人や床面など外部のものと直接接触する、ということは上記膜体６により防止される。よって、上記表示１６が早期に摩耗したり、剥離したりするということは防止され、この表示１６の寿命の点でも有益である。
【００５６】
また、上記網体９の静摩擦係数を、上記膜体６のそれよりも大きくしている。
【００５７】
このため、上記したように健康増進具１上に人が立って何らかの動作をする場合に、上記網体９の静摩擦係数をより大きくした分、上記健康増進具１上から人が不意に落ちるということは、更に、確実に防止される。
【００５８】
なお、以上は図示の例によるが、上記健康増進具１の弾性体２は球形や直方体、立方体形状であってもよい。また、上記カバー体３はそのほぼ全体が網体９であってもよい。また、上記弾性体２は、弾性係数の互いに異なる複数層の弾性体により形成してもよい。また、上記膜体６は上記弾性体２の外縁部の側面のみを覆うものであってもよい。また、上記膜体６の枠形状は、健康増進具１の両面のうち、一方の面のみに形成してもよく、この場合、他方の面は上記膜体６で全体的に覆うようにしてもよい。また、上記連結具１８は設けなくてもよい。
【図面の簡単な説明】
【００５９】
【図１】健康増進具の平面図である。
【図２】健康増進具の側面図である。
【図３】健康増進具の斜視図である。
【符号の説明】
【００６０】
１    健康増進具
２    弾性体
３    カバー体
４    細線材
５    外縁部
６    膜体
７    平坦部
８    縫合
９    網体
１０  仮想平面
１１  ファスナー
１３  網体原材
１４  滑り止め材
１６  表示
１８  連結具
Ｆ    衝撃力
【図１】
2009082163.tif 000003
【図２】
2009082163.tif 000004
【図３】
2009082163.tif 000005